(57)【特許請求の範囲】
【請求項１】
ケース（１０）内に回転可能に収容されたドラム（２０）と、
前記ドラム（２０）に巻回されると共に繰り出しガイド部材（５０）を介して前記ケース（１０）の繰り出し窓（１７）から外部へ繰り出され先端に工具を繋着可能な紐状、糸状又は帯状体（４０）と、
前記ドラム（２０）内に配置されて前記ドラム（２０）を前記紐状、糸状又は帯状体（４０）の巻き取り方向に付勢する渦巻きばね（３０）とを備え、
前記繰り出しガイド部材（５０）が、前記ケース（１０）の内側面に前記ドラム（２０）と同心の円弧状に形成された保持溝（１５）に遊嵌されることによって円周方向移動可能に案内された円弧状のスライドガイド部（５１）を有し、前記紐状、糸状又は帯状体（４０）の引き出し角度に応じて前記繰り出し窓（１７）内を前記保持溝（１５）に沿って円周方向移動可能に前記ケース（１０）内に設けられたことを特徴とする工具落下防止具。
【請求項２】
繰り出し窓（１７）が、ケース（１０）の装着時における下側となる面に延びる狭隘部（１７ａ）と上下方向に延びる幅広部（１７ｂ）からなり、
紐状、糸状又は帯状体（４０）の導出端部又はその近傍に、前記狭隘部（１７ａ）を通過不可能であると共に前記幅広部（１７ｂ）を通過可能なストッパ（４１）が設けられたことを特徴とする請求項1に記載の工具落下防止具。
【発明の詳細な説明】
【０００１】
【発明の属する技術分野】
本発明は、例えば高所作業中に過って工具を落とすことのないように工具を弾性的に繋着する工具落下防止具に関する。
【０００２】
【従来の技術】
建設現場等において高所作業中に過って工具を手から落としてしまった場合の安全性を確保するために使用される工具落下防止具としては、従来、例えば実公平６−３８９９５号公報に開示されているものが知られている。
【０００３】
上記公報に記載された工具落下防止具は、図８に示されるように、作業者が腰に装着しているベルトに係止されるケース１内に、軸２を中心にして回転可能な状態でドラム３が収容され、このドラム３に巻かれケース１の外部へ繰り出される紐状体又は帯状体（以下、紐状体という）４の先端に、工具を繋着するための係止具５が設けられ、ドラム３を、その内周に組み込んだスプリング体によって紐状体４の巻き取り方向に付勢してなるものである。
【０００４】
すなわち、この工具落下防止具は、図７に示されるように、高所作業に際して、作業者Ａが腰に装着しているベルト６等にケース１を固定し、紐状体４の先端の係止具５に工具Ｂを繋着して使用する。工具Ｂを使用する際には、紐状体４がスプリング体による巻き取り方向の付勢力に抗してケース１から引き出され、また、図７に示されるように、高所作業中に過って作業者Ａが工具Ｂを落とした場合、作業者Ａの腰ベルト６に装着したケース１から、工具Ｂの落下によって紐状体４が引き出され、その過程でドラム３の回転により蓄勢されるスプリング体の付勢力によって、工具Ｂの落下を途中で食い止めると共に、落下による衝撃力を吸収するものである。
【０００５】
【発明が解決しようとする課題】
しかしながら、上記従来の技術による工具落下防止具は、紐状体４の引き出し口（開口）１ａがケース１に固定的に設けられているため、作業者Ａが工具Ｂを使用して各種作業をするのに伴って、図８に一点鎖線で示されるようにケース１からの紐状体４の引き出し角度が変化すると、引き出し口１ａと紐状体４の摩擦による抵抗が大きくなる。このため、紐状体４の円滑な引き出しや繰り込みが阻害されて作業性が悪化し、しかも紐状体４が摩耗によって傷みやすくなる問題が指摘される。
【０００６】
また、工具Ｂを手から離せば、この工具Ｂの重量と、ドラム３を巻き取り方向に付勢するスプリング体の蓄勢力が均衡するまで紐状体４が引き出されながら工具Ｂが降下（落下）することになり、したがって、従来の工具落下防止具には、工具Ｂを作業者Ａの身体に保持しておく機能はない。このため、工具Ｂを作業者Ａが携帯するためには、工具落下防止具とは別に、工具収納袋７などを作業者Ａの腰ベルト６に装着し、工具Ｂをこれに収納する必要があった。
【０００７】
本発明は、上記のような問題に鑑みてなされたもので、その技術的課題とするところは、工具落下防止具において、紐状体の引き出し角度の変化による作業性の悪化や紐状体の損耗を有効に防止し、また、工具落下防止具に、工具保持手段としての機能を与えることにある。
【０００８】
【課題を解決するための手段】
上述した技術的課題を有効に解決するための手段として、請求項１の発明に係る工具落下防止具は、ケース内に回転可能に収容されたドラムと、前記ドラムに巻回されると共に繰り出しガイド部材を介して前記ケースの繰り出し窓から外部へ繰り出され先端に工具を繋着可能な紐状、糸状又は帯状体と、前記ドラム内に配置されて前記ドラムを前記紐状、糸状又は帯状体の巻き取り方向に付勢する渦巻きばねとを備え、前記繰り出しガイド部材が、前記ケースの内側面に前記ドラムと同心の円弧状に形成された保持溝に遊嵌されることによって円周方向移動可能に案内された円弧状のスライドガイド部を有し、前記紐状、糸状又は帯状体の引き出し角度に応じて前記繰り出し窓内を前記保持溝に沿って円周方向移動可能に前記ケース内に設けられたものである。
【０００９】
また、請求項２の発明に係る工具落下防止具は、請求項１の構成において、繰り出し窓が、ケースの装着時における下側となる面に延びる狭隘部と上下方向に延びる幅広部からなり、紐状、糸状又は帯状体の導出端部又はその近傍に、前記狭隘部を通過不可能であると共に前記幅広部を通過可能なストッパが設けられたものである。
【００１０】
【発明の実施の形態】
以下、本発明に係る工具落下防止具の第一の実施の形態を、図１乃至図５を参照しながら説明する。まず図１は工具落下防止具の正面側の外観を表す斜視図、図２は内部構造説明図、図３は同じく背面図である。
【００１１】
この工具落下防止具は、ケース１０と、このケース１０内に回転可能に収容されたドラム２０と、このドラム２０の内周に配置された渦巻きばね３０と、ドラム２０の外周に巻回された紐状体としての細いワイヤロープ４０と、ドラム２０から引き出されるワイヤロープ４０を通す繰り出しガイド部材であるワイヤ通し部材５０と、このワイヤ通し部材５０を通ってケース１０の外部へ繰り出されたワイヤロープ４０の導出端部（先端）に取り付けられた繋着具６０とを備える。
【００１２】
ケース１０は合成樹脂からなるものであって、厚さ方向に二つ割の構造になっており、すなわちケース分割体１０Ａとケース分割体１０Ｂを、ケース分割体１０Ａに開設された複数のビス挿通孔１１をそれぞれ通してケース分割体１０Ｂの図示されていない螺子孔にねじ込まれる複数のビス１２によって、分解可能に結合したもので、長方形の一つの対角を円弧状に切欠いた形状に近似した正面形状となっている。また、ケース分割体１０Ｂにおける背面側となる外面には、使用者（作業者）が腰に装着するベルト６を横方向に通すことのできるベルト通し１３が形成されている。
【００１３】
ケース１０（ケース分割体１０Ａ，１０Ｂ）の内側面には、円形のドラム収容部１４と、このドラム収容部１４の外周側に位置して同心の円弧状に延びる保持溝１５が形成されており、この保持溝１５とドラム収容部１４との間を分離している円弧状壁面１６は、その中間部分が切り欠かれてワイヤ導出部１６ａとなっている。また、ケース１０における厚さ方向の側面のうち、一方の縦の側面１０ａから下側の側面（底面）１０ｂの一端部にかけて、ワイヤ繰り出し窓１７が開設されており、このうち縦の側面１０ａの下部から下側の側面１０ｂの一端部にかけての部分は幅の狭い狭隘部１７ａとなっており、それより上の部分は幅広部１７ｂとして形成されている。そして、前記ワイヤ導出部１６ａは、ワイヤ繰り出し窓１７における幅広部１７ｂとほぼ対応する方向及び長さに形成されている。
【００１４】
ドラム２０は、渦巻きばね収容部２１と、その外周に形成されたリール部２２とを有し、このリール部２２に、ワイヤロープ４０が巻き取られるようになっている。このドラム２０は、ケース１０（ケース分割体１０Ａ）のドラム収容部１４に、リール部２２の外周縁が遊嵌された状態で収容されており、かつ前記ケース分割体１０Ａの内側面にドラム収容部１４の軸心部に位置して突設されたばね芯１８が、渦巻きばね収容部２１の中央に開設された軸孔を貫通している。
【００１５】
渦巻きばね３０は、相対的に長い一枚の第一弾性板３１と、この第一弾性板３１と材質、板厚及び幅が同一で長さが相対的に短い複数（例えば四枚）の第二弾性板３２が、その一端を揃えるように板厚方向に重ね合わされて、リベット（図示省略）で結束されたもので、ドラム２０における渦巻きばね収容部２１内に、ばね芯１８の外周を周回するように巻曲して配置されている。そして、長い第一弾性板３１における非結束端部がばね芯１８に係止され、第一及び第二弾性板３１，３２が結束された端部がドラム２０における渦巻きばね収容部２１に係止され、第一及び第二弾性板３１，３２の重合部分において第一弾性板３１が巻曲方向外側、第二弾性板３２が巻曲方向内側となるように巻曲されている。
【００１６】
このため、渦巻きばね３０は、第一弾性板３１のみからなる部分は低ばね定数であり、弾性板３１，３２の重合部分は高ばね定数であるといった二段特性を有する。したがって、ワイヤロープ４０をケース１０の外部へ引き出して行くことによって、ドラム２０が図２における時計回りの方向に回転すると、これに伴って、渦巻きばね３０は、まず第一弾性板３１がばね芯１８に巻き付いて行き、ワイヤロープ４０が所定長さ（この例においては１２００ｍｍ程度）引き出されることによって第一弾性板３１の巻き付きが終わってからは、弾性板３１，３２の重合部分が巻き付いて行くようになっている。
【００１７】
ワイヤ通し部材５０は、ケース１０内の円弧状の保持溝１５に遊嵌された円弧状のスライドガイド部５１と、このスライドガイド部５１の延長方向中央部から外周側へ一体的に突設された本体部５２とからなる。本体部５２には、ドラム２０から繰り出されたワイヤロープ４０を通すワイヤ通し孔５２ａが開設されている。
【００１８】
ケース１０の保持溝１５はワイヤ通し部材５０のスライドガイド部５１よりも円周方向へ長く形成されており、本体部５２はケース１０のワイヤ繰り出し窓１７における幅広部１７ｂ内に位置している。このためワイヤ通し部材５０は保持溝１５に沿って、所定の角度範囲で移動することができ、これに伴って、ワイヤ通し部材５０の本体部５２がワイヤ繰り出し窓１７の幅広部１７ｂ内を上下に移動することができる。
【００１９】
繋着具６０が取り付けられたワイヤロープ４０の先端近傍には、球状のストッパ４１が固定されている。このストッパ４１は、ケース１０のワイヤ繰り出し窓１７における幅広部１７ｂは通ることができるが、このワイヤ繰り出し窓１７における狭隘部１７ａを通過することはできず、また、幅広部１７ｂにおける狭隘部１７ａ側の端部に形成された鈎部１７ｃの内側空間に収容可能な大きさに形成されている。
【００２０】
以上のように構成された第一の実施の形態による工具落下防止具は、高所作業に際して、作業者が腰に装着しているベルト６をケース１０のベルト通し１３に通すことによって、ケース１０を腰に固定し、ワイヤロープ４０の先端の繋着具６０に工具を繋着する。また、図２に示されるように、ストッパ４１がワイヤ繰り出し窓１７における幅広部１７ｂを通ってワイヤ通し部材５０の本体部５２に当接するまでワイヤロープ４０が巻き取られた状態では、渦巻きばね３０による引き込み力がワイヤロープ４０及びストッパ４１を介してワイヤ通し部材５０に作用するので、その本体部５２がワイヤ繰り出し窓１７における幅広部１７ｂの狭隘部１７ａ側の端部内壁面に当接し、ストッパ４１が鈎部１７ｃの内側空間に収容された状態となる。
【００２１】
そしてこの状態では、ワイヤロープ４０の端部に、繋着具６０に繋着した工具の重量による鉛直方向の荷重が作用しても、鈎部１７ｃの内側空間に収容された状態にあるストッパ４１は、ワイヤ繰り出し窓１７における狭隘部１７ａを通って下方へ移動することはできず、図２における左側へ水平移動することも鈎部１７ｃによって阻止され、これによって俯角方向あるいは鉛直方向へのワイヤロープ４０の引き出しが阻止される。このため作業者は、腰ベルト６に装着した工具収納袋（図７の符号７参照）に工具を収納しなくても、工具を当該工具落下防止具に吊支した状態に携帯することができ、作業中に少しの間だけ工具から手を離したい場合等の一時的なホルダとして有効に機能する。
【００２２】
施工のために工具を使用する際には、作業者が工具を手に持って作業をするのに伴って、ワイヤロープ４０がケース１０から引き出されるが、この時のワイヤロープ４０の引き出し方向は、通常、図４に示されるような仰角方向となる。このため、ストッパ４１は、鈎部１７ｃの内側空間からワイヤ繰り出し窓１７における幅広部１７ｂを通ってケース１０の外部へ移動し、このため、ワイヤロープ４０が容易に引き出される。また、このようにしてストッパ４１がいったんケース１０の外部へ移動した後は、ワイヤロープ４０はワイヤ繰り出し窓１７における狭隘部１７ａを通ることができるので、図５に示されるように、俯角方向又は鉛直方向への引き出しも可能である。
【００２３】
工具の使用においては、ケース１０から引き出されるワイヤロープ４０の引き出し長さが短いため、ドラム２０の回転によるばね芯１８への渦巻きばね３０の巻き付きは、一枚の第一弾性板３１からなる低ばね部分のみで行われ、工具には弱い引張り力しか作用せず、したがって工具を用いての作業が阻害されない。
【００２４】
ここで、ケース１０からのワイヤロープ４０の引き出し方向は、工具を持つ手の動作によって、ある程度の範囲内で変化することになるが、これに伴って、ワイヤ通し部材５０が保持溝１５に沿って円周方向へ追随移動すると共に、ドラム２０からのワイヤロープ４０の繰り出し位置がケース１０の円弧状壁面１６に形成されたワイヤ導出部１６ａ内を上下に変位し、ワイヤ通し部材５０におけるワイヤロープ４０の通路である本体部５２がワイヤ繰り出し窓１７における幅広部１７ｂ内を上下に角変位する。このため、ワイヤロープ４０の引き出し方向の俯仰変化による引き出し・繰り込みの際の抵抗の増大を生じない。
【００２５】
また、作業者が高所作業中に過って工具を落とした場合は、作業者の腰ベルト６に装着したケース１０から、工具の落下によってワイヤロープ４０が引き出されて行くと、渦巻きばね３０は、まず第一弾性板３１のみからなる低ばね部分が巻き付いて行き、その蓄勢力によって落下速度の増大をある程度抑える。そして更に、ワイヤロープ４０の引き出し長さが所定長さ（例えば１２００ｍｍ程度）以上になると、第一及び第二弾性板３１，３２が重合した高ばね部分が巻き付いて行き、このとき、第一弾性板３１から、複数の第二弾性板３２への荷重伝達が順次行われ、その表面同士が互いに摺動することによって摩擦減衰を生じるので、工具の落下速度を急速に低下させて、落下を途中で食い止める。
【００２６】
工具がある程度の高さまで落下して停止した後は、蓄勢された渦巻きばね３０の復元動作によって、ドラム２０がワイヤロープ４０を巻き取る方向、すなわち図２における反時計回りの方向へ回転するので、工具は上昇を開始するが、その過程でも、第一弾性板３１と複数の第二弾性板３２の摺動による運動エネルギの減衰が発生するので、工具の上昇速度が著しく緩和され、急激なバウンド動作による危険性が有効に回避される。またその結果、工具の上下反復運動も殆ど生じることなく、ワイヤロープ４０の巻き取りを伴いながら上昇し、静止する。
【００２７】
工具を用いての作業の終了後は、工具を作業状態からケース１０側へ戻せば、ワイヤロープ４０は、その先端近傍に設けられた球状のストッパ４１が、ケース１０のワイヤ繰り出し窓１７における幅広部１７ｂを通ってその狭隘部１７ａ側の端部に形成された鈎部１７ｃの内側空間に入り込み、ワイヤ通し部材５０の本体部５２に当接すると共に、この本体部５２がワイヤ繰り出し窓１７における幅広部１７ｂの狭隘部１７ａ側の端部内壁面に当接して、図２の状態となるまで、渦巻きばね３０の付勢力によってドラム２０のリール部２２に巻き取られる。
【００２８】
上述した第一の実施の形態では、工具を繋着するワイヤロープ４０及びこれを巻き取るドラム２０を一組だけ備えるものであるが、これを複数組備える構成とすることによって、複数の工具を繋着可能にすることができる。図６は、その一例として、ワイヤロープ４０及びこれを巻き取るドラム２０、渦巻きばね３０、ワイヤ通し部材５０等を二組備える第二の実施の形態を示すものである。
【００２９】
すなわち、この工具落下防止具は、ケース１０が、先に説明した図１乃至図３に示されるものと同様のケース分割体１０Ａ，１０Ｂと、その間に挟着される中間ケース部材１０Ｃとを、複数のビス１２によって分解可能に結合した、厚さ方向三分割構造となっており、一方のケース分割体１０Ａと中間ケース部材１０Ｃの間、及び他方のケース分割体１０Ｂと中間ケース部材１０Ｃの間に、それぞれ先の図２と同様の構造によって、それぞれドラム２０及びワイヤ通し部材５０が保持されている。また、ケース分割体１０Ａに突設された図示されていないばね芯は、双方のドラム２０の軸孔２０ａを貫通する長さに形成されている。
【００３０】
各ドラム２０における渦巻きばね収容部に収容された、図示されていない渦巻きばねは、それぞれ長い第一弾性板の非結束端部が、共通のばね芯に係止されると共に、複数の弾性板の結束端部が、各ドラム２０に係止されている。その他の部分の個々の構成も、基本的には第一の実施の形態と同様であり、したがって、これら各機構による効果は、第一の実施の形態同様である。
【００３１】
上記構成を備える第二の実施の形態によれば、各ドラム２０，２０から引き出されるワイヤロープ４０，４０は、一方のケース分割体１０Ａと中間ケース部材１０Ｃの間、及び他方のケース分割体１０Ｂと中間ケース部材１０Ｃの間にそれぞれ形成されるワイヤ導出部１６ａ、ワイヤ通し部材５０のワイヤ通し孔５２ａ及び一方のケース分割体１０Ａと中間ケース部材１０Ｃの間、及び他方のケース分割体１０Ｂと中間ケース部材１０Ｃの間にそれぞれ形成されるワイヤ繰り出し窓１７を通じて、ケース１０の外部へ引き出され、その先端の繋着具６０に、それぞれ工具を繋着可能となっている。
【００３２】
なお、本発明において、ストッパ４１は必ずしも図示のように球状である必要はなく、他の形状であっても良い。また、ワイヤロープ４０は、他の紐状、糸状又は帯状体であっても良い。
【００３３】
【発明の効果】
請求項１の発明に係る工具落下防止具によれば、ドラムから繰り出される紐状、糸状又は帯状体をガイドする繰り出しガイド部材がケースの繰り出し窓内を円周方向移動可能であり、紐状、糸状又は帯状体の引き出し角度が工具を持つ手の動作によって俯仰変化するのに伴い、繰り出しガイド部材による繰り出し位置が円周方向へ追随移動するため、紐状、糸状又は帯状体の引き出し・繰り込みの際の抵抗の増大を生じない。したがって紐状、糸状又は帯状体の円滑な引き出しや繰り込みが行われるので、良好な作業性が確保され、しかも紐状、糸状又は帯状体や繰り出しガイド部材が摩耗によって傷むのを防止することができる。
【００３４】
請求項２の発明に係る工具落下防止具によれば、請求項１の構成において、ケースの繰り出し窓が狭隘部と幅広部を有し、紐状、糸状又は帯状体の導出端部又はその近傍に、前記狭隘部を通過不可能であると共に前記幅広部を通過可能なストッパが設けられたものであるため、ストッパが繰り出し窓内に収容された状態では紐状、糸状又は帯状体を狭隘部側へ引き出すことができず、したがって、紐状、糸状又は帯状体に繋着した工具をケースに吊支することができ、その結果、作業途中で少しの間、工具から手を離したい場合などに、一時的なホルダとして機能するので、工具の取り出しや収納の手間を削減して作業性を向上することができる。
【図面の簡単な説明】
【図１】本発明に係る工具落下防止具の好ましい第一の実施の形態の正面側の外観を示す斜視図である。
【図２】上記工具落下防止具の内部構造説明図である。
【図３】上記工具落下防止具の背面図である。
【図４】上記工具落下防止具からワイヤロープを仰角方向へ引き出した状態を示す内部構造説明図である。
【図５】上記工具落下防止具からワイヤロープを俯角方向へ引き出した状態を示す内部構造説明図である。
【図６】本発明に係る工具落下防止具の第二の実施の形態として、ワイヤロープ及びこれを巻き取るドラムを二組備える工具落下防止具を示す分解斜視図である。
【図７】作業者が、従来の技術による工具落下防止具に繋着した工具を過って落とした場合の状況を示す説明図である。
【図８】従来の技術による工具落下防止具における紐状体の引き出し状態を示す説明図である。
【符号の説明】
１０  ケース
１７  ワイヤ繰り出し窓（繰り出し窓）
１７ａ  狭隘部
１７ｂ  幅広部
２０  ドラム
３０  渦巻きばね
４０  ワイヤロープ（紐状、糸状又は帯状体）
４１  ストッパ
５０  ワイヤ通し部材（繰り出しガイド部材）
６０  繋着具
【図１】
0004328010.tif 000002
【図２】
0004328010.tif 000003
【図３】
0004328010.tif 000004
【図４】
0004328010.tif 000005
【図５】
0004328010.tif 000006
【図６】
0004328010.tif 000007
【図７】
0004328010.tif 000008
【図８】
0004328010.tif 000009